(57)【特許請求の範囲】
【請求項１】
基台に回転自在に装着されると共に、適宜駆動機構を介して水平回転せしめられる回転ドラムを設け、この回転ドラムには、その上部が開放されている上部シリンダーと、上部シリンダー下方に配される下部シリンダーと、上部シリンダー内を摺動する上部ピストンと、下部シリンダー内を摺動する下部ピストンと、上部ピストンと下部ピストンを連結する連結ロッドとを備えた充填送出機構を回転方向に沿って複数組配設し、回転ドラムの上面に接するようにホッパーを所定位置に配すると共に、回転ドラムの上面に接するようにノズルを所定位置に配し、ホッパー下方に上部シリンダーが位置した時は、下部シリンダー内の下部ピストンをエアーによって下方に摺動せしめると共に、連結ロッドを介して上部ピストンを下方に素早く摺動させて、ホッパー内の厚層基盤材等を上部シリンダー内に充填できるように構成し、ノズル下方に上部シリンダーが位置した時は、下部シリンダー内の下部ピストンをエアーによって上方に摺動せしめると共に、連結ロッドを介して上部ピストンを上方に摺動させて、上部シリンダー内の厚層基盤材等をノズル内に送出できるように構成し、ホッパー内に撹拌羽根体を配し、この撹拌羽根体を撹拌用モーターで駆動回転できるように形成し、撹拌羽根体の撹拌軸に略螺旋状の搬送用スクリューを固定し、ホッパー内の厚層基盤材等が、撹拌羽根体の回転によって下端の供給口がわに送給されるように構成し、回転ドラムの上面に、複数の上部シリンダーの上部開放部分を含むような大きさとなる略円環板状の摺接円環板を互換装着可能となるよう構成し、摺接円環板の上面に常時密接するようなスクレパーを設け、下部ピストンの径を、上部ピストンの径より大きく設定したことを特徴とする厚層基盤材等の連続搬送装置。
【発明の詳細な説明】
【０００１】
【発明の属する技術分野】
本発明は、例えば、適宜破砕して腐食させた木材と、植物の育成に必要な材料と、適宜種子とからなる厚層基盤材や、モルタルや、コンクリート等を搬送できるように工夫した厚層基盤材等の連続搬送装置に関するものである。
【０００２】
【従来の技術】
従来、この種の搬送装置としては、適宜タイプのものが提供されており、例えば、特公昭５２−３７８７７号公報に記載されているような骨材等の搬送装置が本願出願人により発明されている。これは、回転するドラムの表面に容積を変化し得る窪部を設け、該ドラムの窪部が存在する表面に於ける窪部の容積が大きくなる箇所に骨材等の導入口を密接し、窪部の容積が小さくなる箇所に圧搾空気で、骨材等を搬送する排出口を密接させたものである。更に、具体的には、基台の内周壁にカム溝を設け、このカム溝にピストン杆の下部に設けたコロを嵌入し、ドラムの回転によってピストンがカム溝の軌跡に従って昇降し、窪部内への骨材等の導入と、窪部内からの骨材等の搬出とが繰返し行われるように構成されている。
【０００３】
【発明が解決しようとする課題】
ところが、前述の如き手段にあっては、カム溝による複数のピストン杆の制御を行っているため、ピストンの昇降動作を速く設定したり、ドラムの回転速度を速く設定したりすることが難しい難点があった。しかも、ドラムを回転せしめるために、比較的大きな動力が必要となる等の難点もあった。
【０００４】
【課題を解決するための手段】
そこで、本発明は、前述の如き難点等を解消して、厚層基盤材等を効率良く搬送できるようにすると共に、搬送量を増やすことができ、しかも、構成簡素で、小型、コンパクトに構成でき、比較的小さな動力で作動可能となり、メンテナンスや取扱いが容易で、経済的に優れた厚層基盤材等の連続搬送装置を提供すべく創出されたものである。
【０００５】
しかして、請求項１記載の連続搬送装置にあっては、基台２５に回転自在に装着されると共に、適宜駆動機構を介して水平回転せしめられる回転ドラム１０を設け、この回転ドラム１０には、その上部が開放されている上部シリンダー１５と、上部シリンダー１５下方に配される下部シリンダー１６と、上部シリンダー１５内を摺動する上部ピストン１７と、下部シリンダー１６内を摺動する下部ピストン１８と、上部ピストン１７と下部ピストン１８を連結する連結ロッド１９とを備えた充填送出機構を回転方向に沿って複数組配設し、回転ドラム１０の上面に接するようにホッパー１を所定位置に配すると共に、回転ドラム１０の上面に接するようにノズル４０を所定位置に配し、ホッパー１下方に上部シリンダー１５が位置した時は、下部シリンダー１６内の下部ピストン１８をエアーによって下方に摺動せしめると共に、連結ロッド１９を介して上部ピストン１７を下方に素早く摺動させて、ホッパー１内の厚層基盤材等を上部シリンダー１５内に充填できるように構成し、ノズル４０下方に上部シリンダー１５が位置した時は、下部シリンダー１６内の下部ピストン１８をエアーによって上方に摺動せしめると共に、連結ロッド１９を介して上部ピストン１７を上方に摺動させて、上部シリンダー１５内の厚層基盤材等をノズル４０内に送出できるように構成し、ホッパー１内に撹拌羽根体を配し、この撹拌羽根体を撹拌用モーター２で駆動回転できるように形成し、撹拌羽根体の撹拌軸３に略螺旋状の搬送用スクリュー５を固定し、ホッパー１内の厚層基盤材等が、撹拌羽根体の回転によって下端の供給口６がわに送給されるように構成し、回転ドラム１０の上面に、複数の上部シリンダー１５の上部開放部分を含むような大きさとなる略円環板状の摺接円環板２２を互換装着可能となるよう構成し、摺接円環板２２の上面に常時密接するようなスクレパー４５を設け、下部ピストン１８の径を、上部ピストン１７の径より大きく設定する手段を採用した。
【０００６】
【発明の実施の形態】
以下、本発明を図示例について説明すると、次の通りである。
本発明の厚層基盤材等の連続搬送装置は、例えば、適宜破砕して腐食させた木材と、植物の育成に必要な材料と、適宜種子とからなる厚層基盤材や、モルタルや、コンクリートや、或いは、その他の適宜搬送物を搬送できるようにしたものである。
【０００７】
そして、この連続搬送装置は、適宜構成の基台２５と、この基台２５に回転自在に装着されると共に、適宜駆動機構を介して水平回転せしめられる回転ドラム１０と、回転ドラム１０の上面に接するように配されるホッパー１と、回転ドラム１０の上面に接するように配されるノズル４０とを備えている。
【０００８】
それから、回転ドラム１０には、その上部が開放されている上部シリンダー１５と、上部シリンダー１５下方に配される下部シリンダー１６と、上部シリンダー１５内を摺動する上部ピストン１７と、下部シリンダー１６内を摺動する下部ピストン１８と、上部ピストン１７と下部ピストン１８を連結する連結ロッド１９とを備えた充填送出機構を回転方向に沿って複数組（例えば、８組）配設し、ホッパー１下方に上部シリンダー１５が位置した時は、下部シリンダー１６内の下部ピストン１８をエアーによって下方に摺動せしめると共に、連結ロッド１９を介して上部ピストン１７を下方に素早く摺動させて、ホッパー１内の厚層基盤材等を負圧による吸引力を利用して上部シリンダー１５内に充填できるように構成し、また、ノズル４０下方に上部シリンダー１５が位置した時は、下部シリンダー１６内の下部ピストン１８をエアーによって上方に摺動せしめると共に、連結ロッド１９を介して上部ピストン１７を上方に素早く摺動させて、上部シリンダー１５内の厚層基盤材等をノズル４０内に一気に送出できるように構成されている。
すなわち、回転ドラム１０に設けた複数の充填送出機構は、ホッパー１下方で厚層基盤材等が上部シリンダー１５内に順次充填され、ノズル４０下方で上部シリンダー１５内の厚層基盤材等がノズル４０内に順次送出されるようになり、これを繰返すことで、ノズル４０への厚層基盤材等の連続供給が行われるものである。しかも、上部シリンダー１５内の上部ピストン１７の作動は、連結ロッド１９を介して連結される下部ピストン１８をエアーの圧力を利用して摺動せしめることで行われるため、上部ピストン１７の素早い摺動動作が実現できるようになっている。
【０００９】
ホッパー１は、回転ドラム１０の上面に密接するように配されると共に、基台２５に適宜状態で支持されており、しかも、このホッパー１内には、撹拌羽根体が配され、この撹拌羽根体を撹拌用モーター２で駆動回転できるように形成されている。そして、撹拌羽根体は、例えば、撹拌軸３に適宜撹拌羽根４を固定すると共に、撹拌軸３先端がわに略螺旋状の搬送用スクリュー５を固定して構成されており、ホッパー１内の厚層基盤材等が、撹拌されると共に、ホッパー１下端の供給口６がわに強制的に連続送給されるように構成してある。
【００１０】
回転ドラム１０は、基台２５の軸受３０に回転自在に装着されている回転軸１２に装着されるドラム基枠１１と、このドラム基枠１１の回転方向に沿って複数組（例えば、８組）配設される前記充填送出機構とを備えている。更に、回転ドラム１０上面には、複数の上部シリンダー１５の上部開放部分を含むような大きさとなる略円環板状の摺接円環板２２が互換装着可能となるよう固定されており、この摺接円環板２２は、例えば、鏡面仕上げとなるその上面が、ノズル４０下部の送出口４１部分に設けたパッキン２４や、ホッパー１に常時接触して、摩擦抵抗を低減しつつ、これらの部分に於ける気密性が確保できるように構成してある。また、摺接円環板２２は、回転ドラム１０の回転によって摩耗したときに簡単に互換装着できるように構成されている。
【００１１】
回転ドラム１０を回転せしめる駆動機構は、例えば、駆動用モーター２６と、駆動用モーター２６の駆動回転軸に固定されるスプロケット２７と、回転軸１２の下端に固定されるスプロケット２９と、スプロケット２７，２９に巻装されるチェーン２８とで構成される。尚、回転ドラム１０の具体的駆動手段は、適宜自由に設定できるものである。
【００１２】
また、前記充填送出機構は、略円筒状の上部シリンダー１５と、上部シリンダー１５より径が大きい略円筒状の下部シリンダー１６と、略厚肉円板状の上部ピストン１７と、上部ピストン１７より径が大きい略厚肉円板状の下部ピストン１８と、略円柱状の連結ロッド１９とを備えており、上部シリンダー１５の周壁下部には、通孔１５ａが穿設されており、下部シリンダー１６の周壁上部と周壁下部には、連通パイプ２０，２１が夫々連通状態で接続され、しかも、この連通パイプ２０，２１の下端部分は、回転ドラム１０の下面部分に開口するように形成されている。すなわち、前記通孔１５ａは、上部ピストン１７が上下に摺動する際に上部シリンダー１５内の下部空間（上部ピストン１７の下がわとなる空間）が上部シリンダー１５外部と連通して上部ピストン１７の摺動動作がスムーズに行われるように設けられたものである。
更に、前記連通パイプ２０，２１は、基台２５の回転ドラム１０下面部分が接触している部分に設けた接続口３１，３３や、連通口３２，３４に連通状態となったときに、接続口３１，３３から供給されるエアーを下部シリンダー１６内に導入して下部ピストン１８を摺動せしめると共に、下部ピストン１８の摺動による下部シリンダー１６内のエアーを連通口３２，３４から外部に排出できるように構成されたものである。すなわち、ホッパー１やノズル４０下方に上部シリンダー１５が位置した時に、下部ピストン１８の摺動がスムーズに且つ確実に行われるように構成されたものである。しかも、接続口３１，３３から供給されるエアーには、適宜オイルを含ませておき、下部ピストン１８の動きを良くすると共に、後述する摺接円環板２３とパッキン２４との間の気密性がより高められるようにしている。
【００１３】
ところで、基台２５の回転ドラム１０下面部分が接触する部分には、接続口３１，３３や、連通口３２，３４を含むような大きさとなる略円環板状の摺接円環板２３が互換装着可能となるよう固定されており、摺接円環板２３は、例えば、鏡面仕上げとなるその上面が回転ドラム１０下面に設けたパッキン２４に常時接触して、摩擦抵抗を低減しつつ、この部分に於ける気密性が確保できるように構成してある。また、摺接円環板２３は、回転ドラム１０の回転によって摩耗したときに簡単に互換装着できるように構成されている。尚、摺接円環板２３には、適宜スプリングの弾発力を付与せしめて、回転ドラム１０下面に設けたパッキン２４に常時圧接されるように構成しても良い。
【００１４】
ノズル４０は、基台２５に適宜状態で装着されると共に、上方から適宜圧力が加えられるようにして構成されており（図示せず）、その中央部分下部に配した送出口４１及びその周囲に配したパッキン２４部分が、回転ドラム１０の上面（摺接円環板２２の上面）に常時密接するように構成されている。そして、ノズル４０の基端部分からは、常時圧搾空気が供給され、送出口４１からノズル４０内に送給される厚層基盤材等を先端がわに圧送できるように構成されている。すなわち、ノズル４０先端部分には、適宜ホース等が接続されて厚層基盤材等を所望位置に吹付けられる（或いは、搬送できる）ように構成されている。
【００１５】
図中４５は、回転ドラム１０の上面（摺接円環板２２の上面）に常時密接するように設けられたスクレパーで、このスクレパー４５は、回転ドラム１０の上面から食み出しているような厚層基盤材等を削ぎ取れるようにしたもので、ノズル４０のパッキン２４等の損傷等を抑制できるようにしたものである。
【００１６】
ところで、連続搬送装置の具体的構成、形状、寸法、材質、ホッパー１の具体的構成、形状、寸法、材質、撹拌羽根体の具体的構成、形状、寸法、材質、回転ドラム１０の具体的構成、形状、寸法、材質、上部シリンダー１５の具体的構成、形状、寸法、材質、配設位置、数、下部シリンダー１６の具体的構成、形状、寸法、材質、配設位置、数、上部ピストン１７の具体的構成、形状、寸法、材質、下部ピストン１８の具体的構成、形状、寸法、材質、連結ロッド１９の具体的構成、形状、寸法、材質、連通パイプ２０，２１の具体的構成、形状、寸法、材質、配設位置、数、摺接円環板２２，２３の具体的構成、形状、寸法、材質、パッキン２４の具体的構成、形状、寸法、材質、基台２５の具体的構成、形状、寸法、材質、回転ドラム１０を回転せしめるための駆動機構の具体的構成、接続口３１，３３の具体的構成、配設位置、連通口３２，３４の具体的構成、配設位置、ノズル４０の具体的構成、形状、寸法、材質、スクレパー４５の具体的構成、形状、寸法、材質等は、図示例のもの等に限定されることなく適宜自由に設定できるものである。
【００１７】
【発明の効果】
従って、請求項１記載の厚層基盤材等の連続搬送装置は、基台２５に回転自在に装着されると共に、適宜駆動機構を介して水平回転せしめられる回転ドラム１０を設け、この回転ドラム１０には、その上部が開放されている上部シリンダー１５と、上部シリンダー１５下方に配される下部シリンダー１６と、上部シリンダー１５内を摺動する上部ピストン１７と、下部シリンダー１６内を摺動する下部ピストン１８と、上部ピストン１７と下部ピストン１８を連結する連結ロッド１９とを備えた充填送出機構を回転方向に沿って複数組配設し、回転ドラム１０の上面に接するようにホッパー１を所定位置に配すると共に、回転ドラム１０の上面に接するようにノズル４０を所定位置に配し、ホッパー１下方に上部シリンダー１５が位置した時は、下部シリンダー１６内の下部ピストン１８をエアーによって下方に摺動せしめると共に、連結ロッド１９を介して上部ピストン１７を下方に素早く摺動させて、ホッパー１内の厚層基盤材等を上部シリンダー１５内に充填できるように構成し、ノズル４０下方に上部シリンダー１５が位置した時は、下部シリンダー１６内の下部ピストン１８をエアーによって上方に摺動せしめると共に、連結ロッド１９を介して上部ピストン１７を上方に摺動させて、上部シリンダー１５内の厚層基盤材等をノズル４０内に送出できるように構成し、ホッパー１内に撹拌羽根体を配し、この撹拌羽根体を撹拌用モーター２で駆動回転できるように形成し、撹拌羽根体の撹拌軸３に略螺旋状の搬送用スクリュー５を固定し、ホッパー１内の厚層基盤材等が、撹拌羽根体の回転によって下端の供給口６がわに送給されるように構成し、回転ドラム１０の上面に、複数の上部シリンダー１５の上部開放部分を含むような大きさとなる略円環板状の摺接円環板２２を互換装着可能となるよう構成し、摺接円環板２２の上面に常時密接するようなスクレパー４５を設け、下部ピストン１８の径を、上部ピストン１７の径より大きく設定したので、上部ピストン１７の昇降動作を速く設定できるようになり、ホッパー１下方に上部シリンダー１５が位置した時には、上部ピストン１７を下方に素早く摺動させられ、上部シリンダー１５内に生じる負圧による吸引力を利用して、ホッパー１内の厚層基盤材等を上部シリンダー１５内に確実に、迅速に、且つスムーズに充填させられるようになる。また、ノズル４０下方に上部シリンダー１５が位置した時には、上部ピストン１７を上方に素早く摺動させられ、その押上力が厚層基盤材等に付与された状態でノズル４０に一気に送給でき、ノズル４０からの更なる搬送が行い易くなる。すなわち、適宜破砕して腐食させた木材と、植物の育成に必要な材料と、適宜種子とからなる厚層基盤材等のような流動性があまり良くない搬送物の搬送に適すると共に、厚層基盤材等を効率良く搬送できるようになる。
更に、回転ドラム１０の回転速度を速く設定することができるようになり、厚層基盤材等の全体的な搬送量を大幅に向上させることができるようになる。
加えて、回転ドラム１０を回転せしめるための動力が小さくて済むようになると共に、構成簡素で、小型、コンパクトに構成でき、運搬や保管等が容易となり、メンテナンスや取扱いも容易で、経済的に優れた厚層基盤材等の連続搬送装置となる。
【００１８】
また、ホッパー１内に撹拌羽根体を配し、この撹拌羽根体を撹拌用モーター２で駆動回転できるように形成し、撹拌羽根体の撹拌軸３に略螺旋状の搬送用スクリュー５を固定し、ホッパー１内の厚層基盤材等が、撹拌羽根体の回転によって下端の供給口６がわに送給されるように構成したので、ホッパー１内の厚層基盤材等を、撹拌できるようになると共に、ホッパー１下端の供給口６がわに強制的に連続送給できるようになる。特に、搬送用スクリュー５によって、厚層基盤材等が確実に且つスムーズに送給できるようになる。
【００１９】
更に、回転ドラム１０の上面に、複数の上部シリンダー１５の上部開放部分を含むような大きさとなる略円環板状の摺接円環板２２を互換装着可能となるよう構成したので、回転ドラム１０の回転によってホッパー１やノズル４０に接触していて摩耗する摺接円環板２２を簡単に互換装着できるようになり、メンテナンス等が行い易く、その負担も低減できるようになる。
加えて、摺接円環板２２の上面に常時密接するようなスクレパー４５を設けたので、回転ドラム１０の上面から食み出しているような厚層基盤材等を削ぎ取れるようになり、ノズル４０のパッキン２４等の損傷等を抑制できるようになる。
【００２０】
そして、下部ピストン１８の径を、上部ピストン１７の径より大きく設定したので、下部ピストン１８にあってはエアーの圧力をより多くの部分で受けることができるようになり、上部ピストン１７で発揮される圧力をより強めることができるようになる。ひいては、ホッパー１下方に上部シリンダー１５が位置した時は、ホッパー１内の厚層基盤材等を上部シリンダー１５内に確実に充填でき、ノズル４０下方に上部シリンダー１５が位置した時は、上部シリンダー１５内の厚層基盤材等をノズル４０内に確実に送出できるようになる。
【図面の簡単な説明】
【図１】本発明の厚層基盤材等の連続搬送装置を例示する縦断正面図である。
【図２】本発明の厚層基盤材等の連続搬送装置を例示する一部省略平面図である。
【図３】本発明の厚層基盤材等の連続搬送装置を例示する部分縦断正面図である。
【図４】本発明の厚層基盤材等の連続搬送装置を例示する部分縦断正面図である。
【符号の説明】
１      ホッパー                      ２      撹拌用モーター
３      撹拌軸                        ４      撹拌羽根
５      搬送用スクリュー              ６      供給口
１０    回転ドラム                    １１    ドラム基枠
１２    回転軸
１５    上部シリンダー                １５ａ  通孔
１６    下部シリンダー                １７    上部ピストン
１８    下部ピストン                  １９    連結ロッド
２０    連通パイプ                    ２１    連通パイプ
２２    摺接円環板                    ２３    摺接円環板
２４    パッキン
２５    基台                          ２６    駆動用モーター
２７    スプロケット                  ２８    チェーン
２９    スプロケット                  ３０    軸受
３１    接続口                        ３２    連通口
３３    接続口                        ３４    連通口
４０    ノズル                        ４１    送出口
４５    スクレパー
【図１】
0003567426.tif 000002
【図２】
0003567426.tif 000003
【図３】
0003567426.tif 000004
【図４】
0003567426.tif 000005